(57)【要約】【課題】    自動入力機構による機械的エネルギー蓄積手段へのエネルギー入力を効率的に行える時計を提供すること。【解決手段】回転錘５１の回転が伝達される回転錘歯車５２と、この回転錘歯車５２から一番伝え車５３に増速することにより、蓄積手段側伝え車６０を一歯送るための必要な回転錘５１の回転数を減らすことができ、従来のように回転錘５１を大きく振る必要がなく、小さな振りに対してもぜんまいを巻きあげることが可能である。さらに、回転錘５１の位置と蓄積手段側伝え車６０の位相を合わせたことにより、エネルギー入力機会が増え、エネルギー蓄積手段への入力が頻繁に行われるようになって、一層効率的である。【選択図】  図１ 
2005274420.tif 000002
【特許請求の範囲】
【請求項１】
機械的エネルギー蓄積手段からの機械的エネルギーにより輪列を駆動する時計であって、回転錘と、この回転錘の回転を回転レバー部材まで伝達する二つ以上の回転錘側伝え車と、これらの回転錘側伝え車の一つに設けられた偏心軸部に係合する前記レバー部材と、このレバー部材の係脱により一定方向に回転するとともに、この回転を前記機械的エネルギー蓄積手段へ伝達して、前記回転錘からのエネルギーを入力する蓄積手段側伝え車とで自動入力機構が構成され、この自動入力機構の前記二つ以上の回転錘側伝え車では、前記回転錘の回転が増速されることを特徴とする時計。
【請求項２】
請求項１記載の時計において、前記増速比は、２以上の整数値とすることを特徴とする時計。
【請求項３】
請求項１または請求項２記載の時計において、３時方向に前記回転錘が重なった位置と、前記レバー部材の前記蓄積手段側伝え車への係合位置との位相を合わせたことを特徴とする時計。
【発明の詳細な説明】
【技術分野】
【０００１】
本発明は、自動入力機構付きの時計に関する。
【背景技術】
【０００２】
従来、ぜんまい等の機械的エネルギー蓄積手段からの機械的エネルギーにより輪列を駆動するとともに、この輪列からの回転を受けて回転する発電機に電力を生じさせ、この電力により駆動される電子回路によって前記発電機の回転周期を制御することで、前記輪列を調速する時計の開発が進められている。
このような時計のムーブメントでは、ぜんまいを巻き上げて機械エネルギーを入力する機構として、巻真を操作して行う手動入力機構と回転錘の回転による自動入力機構とが併用されることがある。
各入力機構のうち、自動入力機構は、ムーブメントの中心を軸中心とする前記回転錘と、この回転錘の回転中心に対して偏心して設けられたら偏心軸部に係合されるレバー部材と、このレバー部材によって一方向に回転する蓄積手段側伝え車とを備えた構成であり、蓄積手段側伝え車と噛み合う角穴車を回転させてぜんまいを巻き上げる（特許文献１参照）。
【０００３】
【特許文献１】特開２００１−１６６６６７号公報（図１）
【発明の開示】
【発明が解決しようとする課題】
【０００４】
しかしながら、特許文献１に記載された時計において、一般的に回転錘が一回転した時、偏心軸部に係合されるレバー部材が回転して、歯を４つまたは５つ送り、この蓄積手段側伝え車の送りにより角穴車を送って、ぜんまいを巻き上げるものである。このような構成では、蓄積手段側伝え車の一歯を送るためには、回転錘を７２度から９０度程度回転させる必要があり、例えば、回転錘の７２度以下の小さな動きに対しては、ぜんまいを巻き上げることができず、巻上げ効率が悪いという問題がある。
【０００５】
本発明の目的は、自動入力機構による機械的エネルギー蓄積手段へのエネルギー入力を効率的に行える時計を提供することである。
【課題を解決するための手段】
【０００６】
本発明の時計は、機械的エネルギー蓄積手段からの機械的エネルギーにより輪列を駆動する時計であって、回転錘と、この回転錘の回転を回転レバー部材まで伝達する二つ以上の回転錘側伝え車と、これらの回転錘側伝え車の一つに設けられた偏心軸部に係合する前記レバー部材と、このレバー部材の係脱により一定方向に回転するとともに、この回転を前記機械的エネルギー蓄積手段へ伝達して、前記回転錘からのエネルギーを入力する蓄積手段側伝え車とで自動入力機構が構成され、この自動入力機構の前記二つ以上の回転錘側伝え車では、前記回転錘の回転が増速されることを特徴とする。
【０００７】
このような本発明によれば、回転錘の回転が回転錘側伝え車間で増速されるので、蓄積手段側伝え車を一歯送るための回転錘の回転角が小さくてすむ。従って、従来のように回転錘を大きく振る必要がなく、小さな振りに対しても自動入力機構による機械的エネルギー蓄積手段へのエネルギー入力が確実に行われるようになり、入力効率が向上する。
【０００８】
本発明の時計では、前記増速比は、２以上の整数値が好ましい。
時計では一般的に、レバー部材の動作位置によって、蓄積手段側伝え車を回し易い位置と回し難い位置とがある。
そこで本発明では、複数の回転錘側伝え車での増速比を２以上の整数値とすることにより、回転錘とレバー部材との位相のずれをなくしている。これによれば、絶えずレバー部材による蓄積手段側伝え車の回し易い状態が確保され、エネルギーの入力効率がさらに向上する。
【０００９】
本発明の時計では、３時方向に前記回転錘が重なった位置と、前記レバー部材の前記蓄積手段側伝え車への係合位置との位相を合わせることが好ましい。
通常、腕にはめた時計においては、文字板の３時の位置が一番下の位置になることが多い。このため、本発明のように回転錘の位置が略３時の位置にある状態で、レバー部材によって蓄積手段側伝え車が回転するようにすれば、エネルギーの入力機会が増え、エネルギー蓄積手段への入力が頻繁に行われるようになって、一層効率的である。
【発明の効果】
【００１０】
本発明によれば、自動入力機構による機械的エネルギー蓄積手段へのエネルギー入力を効率的に行えるという効果がある。
【発明を実施するための最良の形態】
【００１１】
以下、本発明の一実施形態を図面に基づいて説明する。
図１は、本実施形態に係る時計１に用いられるムーブメントの概略図を示す平面図、図２は、そのムーブメントの一部を示す断面図である。
【００１２】
図１または図２において、時計１は、ぜんまい(機械エネルギー蓄積手段：図２)１０から発生する機械的エネルギーにより輪列２０を駆動し、この輪列２０からの回転を受けて回転する発電機３０で電力を発生させている。この発電機３０で得られる電力によって図示しない電子回路は発電機３０の回転周期を制御し、輪列２０を調速する電子制御式機械時計であ。この時計１は、ぜんまい１０を手動で巻き上げて機械的エネルギーを入力する手動入力機構４０と、自動で巻き上げて機械的エネルギーを入力する自動入力機構５０とを備えている
【００１３】
ぜんまい１０は、香箱歯車１１、香箱真１４、香箱蓋１２からなる香箱１３に収納され、内端が香箱真１４に固定され、外端があるトルク以上で香箱歯車１１をスリップするように取り付けられている。香箱真１４には角穴車１５が固定されていて、手動入力機構４０または自動入力機構５０によって角穴車１５が一方向に回転することによって、香箱真１４は角穴車１５と一体で回転するように構成されている。角穴車１５は、時計方向に回転し、反時計回りに回転しないように図示しないこはぜと噛み合っている。ぜんまい１０は内側から巻き上がり、反対にその外側から巻き戻ることで香箱歯車１１を回転させ、香箱歯車１１は、これに噛み合う輪列２０を回転させている。
【００１４】
輪列２０は、香箱歯車１１の回転を受ける二番車２と、以下順に増速するように噛み合った三番車３と、四番車４と、五番車５と、六番車６とを備えている。二番車２の筒かな２Ａには図示しない分針が取り付けられ、四番車４には図示しない秒針が取り付けられている。二番車２の筒かな２Ａの回転が日の裏車２１を介して筒車２２に伝達され、この筒車２２に図示しない時針が取り付けられている。
【００１５】
発電機３０は、輪列２０の六番車６と噛み合う回転するロータ３１と、このロータ３１に取り付けられる永久磁石３１Ａの磁束を鎖交させる磁気回路形成のためのステータ３２と、このステータ３２を構成する一対のステータ材３２Ａに巻線され、かつ永久磁石３１が回転することで生じるステータ材３２Ａでの磁束変化を電力に変換する一対のコイル３３とを備えている。このコイル３３には、水晶振動子８１およびＩＣ８２を含む運針制御用の電子回路が形成された回路ブロック（回路形成部材）８０が電気的に接続されており、発電機３０によって発電された電力でこの電子回路を駆動し、ロータ３１に制動をかけて輪列２０を調速し、運針制御を行っている。なお、ロータ３１は、一体に回転する慣性板３１Ｂを備え、ステータ３２に形成されたロータ収容穴３２Ｂ内に配置されている。
【００１６】
手動入力機構４０は、巻真４１を用いてぜんまい１０を巻上可能に構成されている。具体的に、巻真４１にはこれと一体に回転するつづみ車４２（図１では不図示）が貫挿されており、巻真４１が引き出されていない通常の状態では、巻真４１の回転がつづみ車４２に伝達され、つづみ車４２から巻真４１に同様に貫挿されたきち車４３に伝達される。きち車４３の回転は、丸穴車４４を介して伝え中間車４５に伝達され、伝え車６２を介して角穴車１５に伝達され、ぜんまい１０を巻き上げる。そして、巻真４１から伝え中間車４５までを含んで手動入力機構４０を形成している。なお、前述の手動入力機構４０を構成する部品の材質は、鋼鉄等の金属からなることが好ましい。
【００１７】
ここで、丸穴車４４、伝え中間車４５、および伝え車６２は、伝え受け６１に軸支され、角穴車１５が取り付けられた香箱真１４の一端側（図２）は、輪列受け２５に軸支されている。また、丸穴車４４は、伝え受け６１の図中下側できち車４３と噛み合う丸穴本体車４４Ａと、伝え受け６１の図中上側で伝え中間車４５と噛み合う丸穴中間車４４Ｂとで構成され、巻真４１からの回転を伝え受け６１の下側から上側に出力している。これにより、その回転は、伝え受け６１の上側で回転する丸穴本体車４４Ａ、伝え中間車４５、伝え車６２、および角穴車１５を伝うことになる。すなわち、巻真４１の回転は、断面視した場合に、伝え受け６１に沿って略同一高さ位置に配置された車４４，４５，６２，１５によって伝達されることになる。
【００１８】
さらに、各車１５，４４，４５，６２の上方では回転錘５１が回転可能に配置されている。この回転錘５１側からの平面視では、図１に示すように、伝え中間車４５は、巻真４１の左側に配置されて丸穴車４４と噛み合っており、また、伝え車６２およびぜんまい１０（角穴車１５）も巻真４１よりも左側に配置されている。これにより、巻真４１を一般の機械時計と同様、右側に回転させることでぜんまい１０を巻き上げることが可能である。なお、つづみ車４２およびきち車４３の互いの噛み合い歯によりラチェット機構が形成されており、巻真４１を左側に回転させると、つづみ車４２がかんぬき４６（図２）の付勢力に抗してきち車４３から外れるとともに、つづみ車４２が左側に空回りし、その回転がきち車４３に伝達されることはない。
【００１９】
一方、自動入力機構５０は、前記回転錘５１と、回転錘５１と一体に同心上で回転する導電性の回転錘歯車（回転錘側伝え車）５２と、この回転錘歯車５２に噛み合って増速回転する導電性の一番伝え車（回転錘側伝え車）５３と、この一番伝え車５３の回転に連動して偏心駆動され、これにより蓄積手段側伝え車６０側に進退運動する鉄系材料製のレバー部材５４とを備えている。
また、前記回転錘歯車５２と一番伝え車５３との歯数比が整数比となるように、回転錘歯車５２が一番伝え車５３より外径形状が大きく形成され、例えば、回転錘歯車５２の直径が２に対して、一番伝え車５３の直径が１に形成されている。すなわち、回転錘歯車５２から一番伝え車５３への増速比は「２」である。
【００２０】
レバー部材５４は、レバー部材本体５５と、このレバー部材本体５５から延長された弾性変形可能な引き爪５６および押し爪５７とを備え、一番伝え車５３に対して地板２３側に設けられている。図３において、レバー部材本体５５には案内穴が設けられ、この案内穴には一番伝え車５３の偏心軸部が嵌合されている。一番伝え車５３が回転すると、偏心した偏心軸部も回転し、これに係合したレバー部材本体５５が蓄積手段側伝え車６０に対して進退運動する。引き爪５６および押し爪５７は、レバー部材本体５５が往復動すると、それらの先端が蓄積手段側伝え車６０の径方向に対向した歯に交互に係脱する。
【００２１】
また、レバー部材本体５５が蓄積手段側伝え車６０に対して後退する際には、引き爪５６が蓄積手段側伝え車６０に係合し、この状態で蓄積手段側伝え車６０の一歯を引く。このとき、押し爪５７は蓄積手段側伝え車６０との係合が外れている。レバー部材本体５５が蓄積手段側伝え車６０に対して前進する際には、押し爪５７が蓄積手段側伝え車６０に係合し、この状態で蓄積手段側伝え車６０の一歯を押す。以上の動作を交互に繰り返すことにより、蓄積手段側伝え車６０を一方向に間欠的に回転させ、角穴車１５を介してぜんまい１０を巻き上げる。
【００２２】
ここで、蓄積手段側伝え車６０の伝えかな６０Ａと角穴車１５の歯数比を、回転錘歯車５２と一番伝え車５３とで増速した分だけ減速させている。これにより自動入力機構５０全体としてみた減速比が、この増減速を行わない場合と同じになるため、ぜんまい１０がフル巻きになるまでに要する回転錘５１の回転数は変わらないが、回転錘５１の小さな動きに対しての巻上は向上する。
【００２３】
なお、手動入力機構４０の巻真４１の操作によって蓄積手段側伝え車６０が回転しているときには、ここでもラチェット機構の原理により、蓄積手段側伝え車６０から引き爪５６および押し爪５７が交互に弾性変形して外れ、巻真４１の操作で一番伝え車５３や回転錘５１（回転錘側伝え車５２）が回転することはない。
同様に、自動入力機構５０によって伝え車６２を回転させているときにおいては、手動入力機構４０の伝え中間車４５と伝え車６２との噛み合いを外す噛脱手段７０が作動し、巻真４１側が回転しないようになっている。
【００２４】
この噛脱手段７０は、詳細な説明を省略するが、概ね伝え中間車４５の中央に設けられた丸穴７１と、この丸穴７１に遊嵌状態で嵌合された断面凸レンズ状（一眼状）の伝え中間軸７２と、伝え中間車４５を軸方向に沿って伝え受け６１側に押圧保持する皿ばね状の保持部材７３とで構成されており、自動入力機構５０によって伝え車６２が回転すると、丸穴７１と伝え中間軸７２との間に形成された三日月状の隙間により、伝え中間車４５と伝え車６２との噛み合いが自動的に外れ、伝え車６２の回転は伝え中間車４５に伝達されないばかりか、これよりも巻真４１側の丸穴車４４およびきち車４３にも伝達されず、これらを回転させずにすむようになっている。
【００２５】
次に、図１に基づいて、レバー部材５４の蓄積手段側伝え車６０との係合位置の位相について説明する。
レバー部材本体５５の先端部は、一番伝え車５３の偏心軸部の位置によって、引き爪５６および押し爪５７が蓄積手段側伝え車６０に対して交互に係脱し、当該蓄積手段側伝え車６０を回転させるが、この引き爪５６が蓄積手段側伝え車６０から外れ、押し爪５７が蓄積手段側伝え車６０に係合する間と、押し爪５７が蓄積手段側伝え車６０から外れ、引き爪５６が蓄積手段側伝え車６０に係合する間とが、蓄積手段側伝え車６０が回転しない位置、つまりぜんまいを巻かない位置であり、押し爪５７および引き爪５６が蓄積手段側伝え車６０と係合し、押す時または引く時に回転する位置、つまりぜんまいが巻かれる位置である。そして、本実施形態では、通常腕にはめた時計１の位置は、文字板の３時方向が下に向くことが多いため、本実施形態では、回転錘５１の位置が略３時方向の位置にある状態で、蓄積手段側伝え車６０が回転する位置の位相に合わせられている。
【００２６】
このような本実施形態によれば、以下のような効果がある。
（１）回転錘５１を含む自動入力機構５０では、回転錘歯車５２と一番伝え車５３との間で増速されているので、蓄積手段側伝え車６０を一歯送るための回転錘５１の回転角を小さくできる。従って、従来のように回転錘５１を大きく振る必要がなく、小さな振りに対しても自動入力機構５０によるぜんまい１０へのエネルギー入力を確実に行え、入力効率を向上させることができる。
【００２７】
（２）回転錘歯車５２から一番伝え車５３への増速比は整数値であるから、回転錘５１とレバー部材５４との位相のずれをなくすことができる。これによれば、絶えずレバー部材５４による蓄積手段側伝え車６０の回し易い状態を確保でき、エネルギーの入力効率をさらに向上させることができる。
【００２８】
（３）通常腕にはめた時計１においては、文字板の３時の位置が一番下の位置になることが多いが、本実施形態では、回転錘５１の位置が略３時の位置にある状態で、レバー部材５４によって蓄積手段側伝え車６０が回転するように位相が設定されているから、腕の動きに連動させてエネルギーの入力機会を増やすことができ、ぜんまい１０への入力を頻繁におこなうことができて、一層効率的である。
【００２９】
（４）さらに、回転錘歯車５２と一番伝え車５３との間で増速し、その分を伝えかな６０Ａと角穴車１５との間で減速させることにより、巻上時のレバー部材５４におけるトルクが小さくなるため、レバー部材５４のばね力を小さくでき、レバー部材５４の応力を軽減できる。従って、巻上性を向上させることができるとともに、爪端部の磨耗も減少させることができ、磨耗によって発生した切粉による電子回路の導通不良および輪列２０の回転不良を防止できる。
【００３０】
（５）回転錘歯車５２から一番伝え車５３への増速に伴って、回転錘歯車５２の外径形状が大きくなっているので、巻真４１を回路ブロック８０上の電子回路よりも、回転錘歯車５２の外周へ近づけることができる。このことより、静電気が外部操作部材である巻真４１から電子回路まで到達するまでに、静電気は最短の導通経路を通るので、電子回路に至る導通経路を通ることなく、回転錘歯車５２へ逃げ、電子回路の誤動作を防止できる。
【００３１】
なお、本発明は、前記実施形態に限定されるものではなく、本発明の目的を達成できる他の構成等を含み、以下に示すような変形等も本発明に含まれる。
例えば、本発明に係る回転錘側伝え車としては、前記実施形態の回転錘歯車５２および一番伝え車５３の二つに限定されず、二番伝え車や三番伝え車など、二つ以上配置されていればよい。そして通常は、複数の回転錘側伝え車のうち、最終段に配置された回転錘側伝え車にレバー部材５４が設けられることになる。また、蓄積手段側伝え車６０としても、蓄積手段側伝え車６０一つに限定されず、蓄積手段側伝え車６０と角穴車１５との間に他の蓄積手段側伝え車を配置した場合も、本発明に含まれる。
【００３２】
前記実施形態では、本発明の時計として、電子制御式機械時計について説明したが、本発明の時計はこれに限定されず、通常の機械式時計であってもよい。
【００３３】
その他、本発明を実施するための最良の構成、方法などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３４】
【図１】本実施形態に係る時計に用いられるムーブメントの概略を示す平面図。
【図２】本実施形態のムーブメントの一部を示す断面図。
【符号の説明】
【００３５】
１…時計、１０…ぜんまい（機械的エネルギー蓄積手段）、２０…輪列、５０…自動入力機構、５１…回転錘、５２…回転錘歯車（回転錘側伝え車）、５３…一番伝え車（回転錘側伝え車）、５４…レバー部材、６０…蓄積手段側伝え車。
【図１】
2005274420.tif 000003
【図２】
2005274420.tif 000004